(57)【要約】      （修正有）【課題】外反母趾または内反小趾による痛みを緩和する足用サポータを提供する。【解決手段】足用サポータ１は、サポータ本体部２、親指被覆部３および小指被覆部４と、親指側クッション部５および小指側クッション部とを備える。サポータ本体部２および親指被覆部３は、足用サポータ１が足に装着されたときに、足の親指の付け根（以下、親指付け根）を覆う。サポータ本体部２および小指被覆部４は、足用サポータ１が足に装着されたときに、足の小指の付け根（以下、小指付け根）を覆う。親指側クッション部５は、足用サポータ１が足に装着されたときに、親指付け根における足の側面と対向するようにしてサポータ本体部２および親指被覆部３に取り付けられている。小指側クッション部は、足用サポータ１が足に装着されたときに、小指付け根における足の側面と対向するようにしてサポータ本体部２および小指被覆部４に取り付けられている。【選択図】図２
0003225520.tif 000002
【実用新案登録請求の範囲】
【請求項１】
足に装着される足用サポータであって、
当該足用サポータが前記足に装着されたときに、前記足の親指の付け根である親指付け根を覆うように構成された親指側被覆部と、
当該足用サポータが前記足に装着されたときに、前記親指付け根における前記足の側面と対向するようにして前記親指側被覆部に取り付けられている親指側クッション部と
を備える足用サポータ。
【請求項２】
足に装着される足用サポータであって、
当該足用サポータが前記足に装着されたときに、前記足の小指の付け根である小指付け根を覆うように構成された小指側被覆部と、
当該足用サポータが前記足に装着されたときに、前記小指付け根における前記足の側面と対向するようにして前記小指側被覆部に取り付けられている小指側クッション部と
を備える足用サポータ。
【請求項３】
足に装着される足用サポータであって、
当該足用サポータが前記足に装着されたときに、前記足の親指の付け根である親指付け根、および、前記足の小指の付け根である小指付け根の両方を覆うように構成された被覆部と、
当該足用サポータが前記足に装着されたときに、前記親指付け根における前記足の側面、および、前記小指付け根における前記足の側面の両方と対向するようにして前記被覆部に取り付けられているクッション部と
を備える足用サポータ。
【考案の詳細な説明】
【技術分野】
【０００１】
本開示は、外反母趾または内反小趾を患った人の足に装着される足用サポータに関する。
【背景技術】
【０００２】
特許文献１には、外反母趾と内反小趾を同時に矯正するサポータが記載されている。
【先行技術文献】
【特許文献】
【０００３】
【特許文献１】実用新案登録第３２１８３２８号公報
【考案の概要】
【考案が解決しようとする課題】
【０００４】
外反母趾または内反小趾を患った人が靴を履いて歩行すると、外反母趾または内反小趾における突出箇所が靴に当たって痛みが生ずるという問題があった。
本開示は、外反母趾または内反小趾による痛みを緩和することを目的とする。
【課題を解決するための手段】
【０００５】
本開示の一態様は、足に装着される足用サポータであって、親指側被覆部と、親指側クッション部とを備える。親指側被覆部は、当該足用サポータが足に装着されたときに、足の親指の付け根である親指付け根を覆うように構成される。親指側クッション部は、当該足用サポータが足に装着されたときに、親指付け根における足の側面と対向するようにして親指側被覆部に取り付けられている。
【０００６】
このように構成された本開示の足用サポータは、足用サポータを足に装着した装着者が靴を履いて歩行しているときにおいて、外反母趾に起因して親指付け根に形成される骨突出部と、靴との間に親指側クッション部を配置することができる。これにより、本開示の足用サポータは、骨突出部が靴の内側を押圧することにより骨突出部に作用する衝撃を、骨突出部と靴との間に配置された親指側クッション部により軽減することができ、外反母趾による痛みを緩和することができる。
【０００７】
本開示の別の態様は、足に装着される足用サポータであって、小指側被覆部と、小指側クッション部とを備える。小指側被覆部は、当該足用サポータが足に装着されたときに、足の小指の付け根である小指付け根を覆うように構成される。小指側クッション部は、当該足用サポータが足に装着されたときに、小指付け根における足の側面と対向するようにして小指側被覆部に取り付けられている。
【０００８】
このように構成された本開示の足用サポータは、足用サポータを足に装着した装着者が靴を履いて歩行しているときにおいて、内反小趾に起因して小指付け根に形成される骨突出部と、靴との間に小指側クッション部を配置することができる。これにより、本開示の足用サポータは、骨突出部が靴の内側を押圧することにより骨突出部に作用する衝撃を、骨突出部と靴との間に配置されたクッション部により軽減することができ、内反小趾による痛みを緩和することができる。
【０００９】
本開示の更に別の態様は、足に装着される足用サポータであって、被覆部と、クッション部とを備える。被覆部は、当該足用サポータが足に装着されたときに、足の親指の付け根である親指付け根、および、足の小指の付け根である小指付け根の両方を覆うように構成される。クッション部は、当該足用サポータが足に装着されたときに、親指付け根における足の側面、および、小指付け根における足の側面の両方と対向するようにして被覆部に取り付けられている。
【００１０】
このように構成された本開示の足用サポータは、足用サポータを足に装着した装着者が靴を履いて歩行しているときにおいて、外反母趾および内反小趾に起因して親指付け根および小指付け根に形成される骨突出部と、靴との間にクッション部を配置することができる。これにより、本開示の足用サポータは、骨突出部が靴の内側を押圧することにより骨突出部に作用する衝撃を、骨突出部と靴との間に配置されたクッション部により軽減することができ、外反母趾および内反小趾による痛みを緩和することができる。
【図面の簡単な説明】
【００１１】
【図１】第１実施形態の足用サポータの平面図である。
【図２】第１実施形態の足用サポータの第１の斜視図である。
【図３】第１実施形態の足用サポータの第２の斜視図である。
【図４】第２実施形態の足用サポータの斜視図である。
【図５】第３実施形態の足用サポータの平面図である。
【図６】第４実施形態の足用サポータの平面図である。
【考案を実施するための形態】
【００１２】
［第１実施形態］
以下に本開示の第１実施形態を図面とともに説明する。
本実施形態の足用サポータ１は、外反母趾または内反小趾を患った足に装着される。足用サポータ１は、図１に示すように、サポータ本体部２と、親指被覆部３と、小指被覆部４とを備える。足用サポータ１は、ホールガーメント機により編み立てを行うことで、完全無縫製で形成されている。足用サポータ１の編み方は、例えば、周知のスペーサ―ファブリックである。
【００１３】
サポータ本体部２は、足の甲の前側と足裏の前側とを覆うように袋状に形成されている。サポータ本体部２の後端部には、足を内部に挿入するための履き口２ａが形成されている。サポータ本体部２の前端部には、親指を通す親指挿入口２ｂと、小指を通す小指挿入口２ｃと、人差し指と中指と薬指とをまとめて通す中央挿入口２ｄとが形成されている。
【００１４】
親指被覆部３は、親指挿入口２ｂの開口縁から前方に延びて、親指の少なくとも一部分を覆うように筒状に形成されている。
小指被覆部４は、小指挿入口２ｃの開口縁から前方に延びて、小指の少なくとも一部分を覆うように筒状に形成されている。
【００１５】
サポータ本体部２の履き口２ａには、ゴム糸が挿入されている。このため、足用サポータ１が足に装着されている状態において、履き口２ａはゴム糸の弾性力により足を押圧する。これにより、足用サポータ１を装着している人の歩行時に、足用サポータ１が足からずれてしまうのを抑制することができる。なお、履き口２ａは、本来、ミシン等で押さえるのが通常である。しかし、足底にミシン目が当たり違和感が生じる可能性があるため、履き口２ａについては、ゴム糸の伏せ目により処理をし、無縫製としている。
【００１６】
足用サポータ１は、図２に示すように、更に、サポータ本体部２における親指側の側面に、親指側クッション部５を備える。親指側クッション部５は、親指側の側面において、履き口２ａから親指被覆部３の前端部に亘って延びるように形成されている。
【００１７】
足用サポータ１は、図３に示すように、更に、サポータ本体部２における小指側の側面に、小指側クッション部６を備える。小指側クッション部６は、小指側の側面において、履き口２ａから小指被覆部４の前端部に亘って延びるように形成されている。
【００１８】
側面にクッション部を設けることは、本来、編機の特性上不可能である。これに対し、本実施形態では、足底部分に１本の筋を入れ、且つ、足の甲側にはパワーの強い裏糸（例えば、ＦＴＹまたはゴム糸）を用いる。ＦＴＹは、Filament Twisted Yarnの略である。これにより、足底部分に設けた１本の筋が折れ目となり、折れ目よりも外側の部分が立ち上がり、側面を保護するクッション部を疑似的に形成することができる。
【００１９】
親指側クッション部５および小指側クッション部６の厚さは、靴を履いた際の違和感、および、つま先の保護を考慮し、厚すぎず且つ薄すぎない適当な厚さを採用した。
親指および小指の稼働領域の確保については、それぞれの指における付け根の裏側に横筋を入れることにより対処している。足底の全面をクッションとすると、歩行の阻害になると考え、指が曲がり易くなるように、横筋を入れている。
【００２０】
なお、中央挿入口２ｄには、ゴム糸が挿入されていない。これにより、人差し指、中指および薬指の３本指が締め付けられて痛みが発生するのを抑制している。ゴム糸を挿入する代わりに、裏糸のパワーを調整することで、親指側クッション部５および小指側クッション部６の立ち上りを維持している。
【００２１】
このように構成された足用サポータ１は、サポータ本体部２、親指被覆部３および小指被覆部４と、親指側クッション部５および小指側クッション部６とを備える。
サポータ本体部２および親指被覆部３は、足用サポータ１が足に装着されたときに、足の親指の付け根（以下、親指付け根）を覆う。サポータ本体部２および小指被覆部４は、足用サポータ１が足に装着されたときに、足の小指の付け根（以下、小指付け根）を覆う。
【００２２】
親指側クッション部５は、足用サポータ１が足に装着されたときに、親指付け根における足の側面と対向するようにしてサポータ本体部２および親指被覆部３に取り付けられている。小指側クッション部６は、足用サポータ１が足に装着されたときに、小指付け根における足の側面と対向するようにしてサポータ本体部２および小指被覆部４に取り付けられている。
【００２３】
このように足用サポータ１は、足用サポータ１を足に装着した装着者が靴を履いて歩行しているときにおいて、外反母趾に起因して親指付け根に形成される骨突出部と、靴との間に親指側クッション部５を配置することができる。これにより、足用サポータ１は、外反母趾の骨突出部が靴の内側を押圧することにより外反母趾の骨突出部に作用する衝撃を、外反母趾の骨突出部と靴との間に配置された親指側クッション部５により軽減することができ、外反母趾による痛みを緩和することができる。
【００２４】
また足用サポータ１は、足用サポータ１を足に装着した装着者が靴を履いて歩行しているときにおいて、内反小趾に起因して小指付け根に形成される骨突出部と、靴との間に小指側クッション部６を配置することができる。これにより、足用サポータ１は、内反小趾の骨突出部が靴の内側を押圧することにより内反小趾の骨突出部に作用する衝撃を、内反小趾の骨突出部と靴との間に配置された小指側クッション部６により軽減することができ、内反小趾による痛みを緩和することができる。
【００２５】
以上説明した実施形態において、サポータ本体部２、親指被覆部３および小指被覆部４は被覆部に相当し、親指側クッション部５および小指側クッション部６はクッション部に相当する。
【００２６】
また、サポータ本体部２および親指被覆部３は親指側被覆部に相当し、サポータ本体部２および小指被覆部４は小指側被覆部に相当する。
［第２実施形態］
以下に本開示の第２実施形態を図面とともに説明する。なお第２実施形態では、第１実施形態と異なる部分を説明する。共通する構成については同一の符号を付す。
【００２７】
第２実施形態の足用サポータ１は、図４に示すように、サポータ本体部２が変更された点と、小指側クッション部６が省略された点とが第１実施形態と異なる。
サポータ本体部２は、サポータ本体部２の前端部において、小指挿入口２ｃおよび中央挿入口２ｄの代わりに、人差し指と中指と薬指と小指とをまとめて通す挿入口２ｅが形成されている点が第１実施形態と異なる。
【００２８】
このように構成された足用サポータ１は、サポータ本体部２および親指被覆部３と、親指側クッション部５とを備える。
サポータ本体部２および親指被覆部３は、足用サポータ１が足に装着されたときに、親指付け根を覆う。
【００２９】
親指側クッション部５は、足用サポータ１が足に装着されたときに、親指付け根における足の側面と対向するようにしてサポータ本体部２および親指被覆部３に取り付けられている。
【００３０】
このように足用サポータ１は、足用サポータ１を足に装着した装着者が靴を履いて歩行しているときにおいて、外反母趾に起因して親指付け根に形成される骨突出部と、靴との間に親指側クッション部５を配置することができる。これにより、足用サポータ１は、外反母趾の骨突出部が靴の内側を押圧することにより外反母趾の骨突出部に作用する衝撃を、外反母趾の骨突出部と靴との間に配置された親指側クッション部５により軽減することができ、外反母趾による痛みを緩和することができる。
【００３１】
以上説明した実施形態において、サポータ本体部２および親指被覆部３は親指側被覆部に相当する。
［第３実施形態］
以下に本開示の第３実施形態を図面とともに説明する。なお第３実施形態では、第１実施形態と異なる部分を説明する。共通する構成については同一の符号を付す。
【００３２】
第３実施形態の足用サポータ１は、小指挿入口２ｃの位置が変更された点が第１実施形態と異なる。
第３実施形態の足用サポータ１は、図５に示すように、前後方向に沿った親指挿入口２ｂと小指挿入口２ｃとの間の距離Ｒが、第１実施形態よりも長い。なお、第１実施形態の足用サポータ１では、前後方向に沿った親指挿入口２ｂの位置と、前後方向に沿った小指挿入口２ｃの位置とが略等しい。
【００３３】
このように構成された足用サポータ１は、その前端部分を、足における指の付け根付近に対応した形状とすることができ、足用サポータ１を足に装着しているときの装着感を向上させることができる。
【００３４】
［第４実施形態］
以下に本開示の第４実施形態を図面とともに説明する。なお第４実施形態では、第３実施形態と異なる部分を説明する。共通する構成については同一の符号を付す。
【００３５】
第４実施形態の足用サポータ１は、図６に示すように、踵被覆部８を備える点が第３実施形態と異なる。
踵被覆部８は、サポータ本体部２の後端部から後方へ向かって延びて、足底の全体、足の両側面、および、踵を覆うように形成されている。
【００３６】
このように構成された足用サポータ１は、サポータ本体部２と踵被覆部８とによって足を挟むようにして足に装着されるため、歩行中に足用サポータ１が足から脱げてしまうのを抑制することができる。
【００３７】
以上、本開示の一実施形態について説明したが、本開示は上記実施形態に限定されるものではなく、種々変形して実施することができる。
上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加または置換してもよい。
【符号の説明】
【００３８】
１…足用サポータ、２…サポータ本体部、３…親指被覆部、４…小指被覆部、５…親指側クッション部、６…小指側クッション部
【図１】
0003225520.tif 000003
【図２】
0003225520.tif 000004
【図３】
0003225520.tif 000005
【図４】
0003225520.tif 000006
【図５】
0003225520.tif 000007
【図６】
0003225520.tif 000008